(57)【要約】【課題】電子機器において、電子機器およびこれに挿入される記録機器に塵埃が付着することによる悪影響を防止するとともに、簡単に記録機器を取り出せるようにする。【解決手段】電子機器１０は、箱形の本体１２の上面１４に、ＰＣカード（記録機器）１００を挿入するスロット１６を有する。スロット１６は、その一端が隣接する、本体１２の側面２０から他端が隣接する側面２２間に延在している。本体１２の側面２０、２２の各々の上部に湾曲して上方に開放した切欠２８が、スロット１６と連通するように形成されている。この切欠２８は、主面２４にも及んでおり、全体として電子機器１０の上部隅部を切り欠いた形状になっている。これにより、切欠２８に露出したＰＣカード１００の両肩（両端部）１１０、１１０に指をかけてＰＣカード１００を容易に引き抜くことができる。【選択図】　　　　　図１
2004145649.tif 000002
【特許請求の範囲】
【請求項１】
記録機器を挿入するスロットが一面に形成された本体を備え、前記スロットの開口部が、該開口部の一端が隣接する側面から他端が隣接する側面の間に延在するように形成された電子機器であって、
前記本体の前記開口部の両端が隣接する側面部に、前記スロットに挿入された前記記録機器の両端部を露出させる切欠が形成され、露出した前記両端部を持って前記記録機器の取出を可能としたことを特徴とする電子機器。
【請求項２】
前記本体に、さらに前記切欠を覆うカバーが開閉可能に形成されてなることを特徴とする請求項１記載の電子機器。
【発明の詳細な説明】
【０００１】
【発明の属する技術分野】
本発明は、電子機器に関し、特に、電子機器本体のスロットに挿入された平板状の記録機器を取り出すための記録機器取出構造を有する電子機器に関するものである。
【０００２】
【従来の技術】
従来より、デジタルカメラ等のモバイル機器においては、記録媒体として例えば、図６に概略的に示すような「ｃｌｉｋ！（登録商標）」と呼ばれる超小型の磁気ディスクカートリッジが使用されている。（例えば、非特許文献１参照。）このディスクカートリッジ１は、ノート型パーソナルコンピュータに使用されるタイプＩＩＰＣカード型のｃｌｉｋ！（登録商標）ドライブ１００（図７）に装填することもできる。このｃｌｉｋ！（登録商標）ドライブ１００は、幅５３ｍｍ、奥行き８５ｍｍ、厚さ５ｍｍの寸法を有しており、ｃｌｉｋ！（登録商標）ディスクを装填した状態で、ノート型パーソナルコンピュータのＰＣカードスロットに装着して、ｃｌｉｋ！（登録商標）ディスクの記録および再生を行なうことが可能となっている。
【０００３】
図６は、従来の磁気ディスクカートリッジ１の斜視図を示し、図７は、図６の磁気ディスクカートリッジ１が挿入されるｃｌｉｋ！（登録商標）ドライブ１００の斜視図である。最初に図６を参照して磁気ディスクカートリッジ１について説明する。この磁気ディスクカートリッジ１は、幅５０ｍｍ、奥行き５５ｍｍ、厚さ１．９５ｍｍの寸法を有している。この磁気ディスクカートリッジ１は、樹脂製のフレーム２と、金属素材（厚さ０．２ｍｍのステンレス鋼板）からなる上シェル（シェル半体）３、下シェル（シェル半体）４とによって構成されたハウジング５と、このハウジング５内に回転自在に収容された４０ＭＢの記憶容量を有する直径４５．７ｍｍ（１．８インチ）の磁気ディスク（ディスク型磁気記録媒体）（図示せず）とを有する。
【０００４】
上記ハウジング５は、このカートリッジ１が装填されるｃｌｉｋ！（登録商標）ドライブ１００内に配置されているディスクドライブ（図示せず）が備えている磁気ヘッドを磁気ディスクの表面にアクセスさせるための開口６と、この開口６を開閉するロータリーシャッタ７とを備えている。上下シェル３、４は、それらの外周の一部に夫々側壁３ｋ、４ｋを有し、それらの側壁３ｋ、４ｋの縁部をつき合わせて、１０箇所以上の部位Ｐでレーザー溶接されて組み立てられている。
【０００５】
次に、図７を参照して、ｃｌｉｋ！（登録商標）ドライブ１００について説明する。ｃｌｉｋ！（登録商標）ドライブ１００は、扁平な矩形形状を呈しており、ディスクカートリッジ１が挿入される細長い開口１０２が形成された本体１０４を有する。この本体１０４内には、ディスクカートリッジ１を駆動するモータ（図示せず）およびディスクカートリッジ１の記録再生を行なう前述の磁気ヘッドが配置されている。前述の開口１０２は、本体１０２の後端に形成されており、通常は、ばね付勢されたシャッタ１０６で閉じられている。
【０００６】
ディスクカートリッジ１の挿入時には、ディスクカートリッジ１の先端でシャッタ１０６を押し開いてディスクカートリッジ１を挿入する。ディスクカートリッジ１を収容した本体１０４は、パーソナルコンピュータ（図示せず）のスロットにｃｌｉｋ！（登録商標）ドライブ１００の先端から挿入される。ｃｌｉｋ！（登録商標）ドライブ１００の先端部には、パーソナルコンピュータと電気的に接続するための電気コネクタ１０８が配置されている。
【０００７】
パーソナルコンピュータに使用した場合、このカートリッジ１がｃｌｉｋ！（登録商標）ドライブ１００に装填されると、ロータリーシャッタ７がディスクドライブ中で自動的に拡開され、ディスクドライブの読み出しヘッド（図示せず）が磁気ディスク上に移動してきてデータの記録再生がなされるが、ここでは、その態様の詳細な説明は省略する。
【０００８】
上記のｃｌｉｋ！（登録商標）ドライブ１００用のディスクカートリッジ１の他にも、例えば、タイプＩＩのＰＣカード等に使用される矩形の扁平な形状をしたタイプの磁気ディスクカートリッジがある（例えば、特許文献１参照）。このタイプのディスクカートリッジは、磁気ディスクメディア（ディスク型磁気記録媒体）を収容した長方形の扁平な樹脂製ベースプレートの両側に１組の金属製のカバープレートが配置されて組み立てられている。この他にも、スマートメディア（登録商標）等のカード型記録媒体が知られている。
【０００９】
上記ディスクカートリッジ１等が挿入される電子機器のスロット、或いはＰＣカードが挿入される電子機器のスロットには、ディスクカートリッジ１、或いはＰＣカードの取出を容易にするための、スロットに臨む凹部が形成されていることが一般的である（例えば特許文献２参照）。
【００１０】
【非特許文献１】
大島篤著「パソコン解体新書」、ソフトバンクパブリッシング株式会社、２０００年４月１０日発行（Ｐ５２−５３）
【００１１】
【特許文献１】
特開２００１−２４３７３６号公報（第４−５頁、図３）
【００１２】
【特許文献２】
米国特許第５，６４４，４４４号明細書（第１図）
【００１３】
【発明が解決しようとする課題】
しかしながら、上述のような従来のディスクカートリッジを装填する電子機器における記録媒体の取出構造では、この凹部に塵埃が溜まりやすく、これらの塵埃が、記録媒体内に進入し、或いはｃｌｉｋ！（登録商標）ドライブ１００に付着するとデータの記録再生にエラーを発生したり、作動不良を生じたりするという問題があった。スマートメディア（登録商標）等の半導体メディアの場合は、接続端子に塵埃が付着すると接触不良が発生し、データの記録再生に悪影響を及ぼすことがある。また、電子機器の外部に凹部が形成されていることにより、デザイン上の制約即ち見た目がよくないという美感上の問題があった。
【００１４】
また、取出用の凹部を設けずに、排出用のイジェクトボタンを備えた電子機器もあるが、この場合には取出のための機構が複雑になり、また電子機器が高価になるという問題がある。また、必ず押ボタンが必要になるので、デザイン上の制約即ち設計上の自由度が制約されるという問題もある。
【００１５】
防塵目的のために、スロットに隣接して防塵部材を設けたメモリーカード挿入用の電子機器が知られている。この防塵部材は、フェルト、不織布などで形成されたもので、電子機器の前面パネルの裏面に配置されており、メモリーカード挿入用のスリットを有している。しかし、この例では、材料自体の繊維が脱落してメモリーカードの電気的接続に悪影響を及ぼす虞がある。また、スロットが電子機器の表面にあるので、このスロットに塵埃が溜まりやすいという問題がある。
【００１６】
本発明は、以上の点に鑑みてなされたものであり、電子機器および記録機器に塵埃が付着することによる悪影響を防止するとともに、簡単に記録機器を取り出せるようにした電子機器を提供することを目的とするものである。
【００１７】
【課題を解決するための手段】
本発明の電子機器は、記録機器を挿入するスロットが一面に形成された本体を備え、スロットの開口部が、開口部の一端が隣接する側面から他端が隣接する側面の間に延在するように形成された電子機器であって、本体の開口部の両端が隣接する側面部に、スロットに挿入された記録機器の両端部を露出させる切欠が形成され、露出した両端部を持って記録機器の取出を可能としたことを特徴とする。
【００１８】
また、上記本体に、さらに切欠を覆うカバーが開閉可能に形成されていてもよい。
【００１９】
ここで、記録機器とは、ｃｌｉｋ！（登録商標）、３．５インチ（８８．９ｍｍ）のようなディスクカートリッジ、スマートメディア等の記録カードおよびｃｌｉｋ！（登録商標）を収容するｃｌｉｋ！（登録商標）ドライブ１００のようなディスクドライブ装置を含むＰＣカード等を総括していうものとする。
【００２０】
【発明の効果】
本発明の電子機器によれば、記録機器を挿入するスロットの開口部の両端が隣接する側面部に、スロットに挿入された記録機器の両端部を露出させる切欠が形成されているので、これらの切欠から露出した、記録機器の肩部を指で挟んでスロットから記録機器を容易に取り出すことができる。従って、極めて簡単な構造の、記録機器を取り出しやすい電子機器とすることができる。また、塵埃が溜まりやすい凹部を必要としないので、塵埃による記録機器および／または電子機器への悪影響を低減することができる。さらに取出用の凹部を形成する必要がないために、電子機器の外観を見栄えのよいものとすることができる。また、塵埃の元となる繊維等の破片を発生する虞のある防塵部材を必要としないので、防塵部材自体を原因とする、記録機器および電子機器への塵埃の悪影響を防止することができる。
【００２１】
また、上記本体に、さらに切欠を覆うカバーが開閉可能に形成されている場合は、塵埃の進入が確実に阻止されるので一層防塵性が向上する。また、記録機器の肩部が覆われるので、電子機器の落下等によって生じる外力から記録機器が保護される。
【００２２】
【発明の実施の形態】
以下、本発明の電子機器の好ましい実施の形態について、添付図面を参照して詳細に説明する。
【００２３】
図１は、本発明による記録機器取出構造を有する携帯用の電子機器１０即ち　デジタルカメラの斜視図である。図２は、記録機器を取り除いた図１の電子機器１０の斜視図である。以下、図１および図２を参照して説明する。図１に示す電子機器１０は、箱形の本体１２の上面１４に、前述のｃｌｉｋ！（登録商標）ドライブ（以下、単にＰＣカード（記録機器）という）１００を挿入するスロット１６を有する。このＰＣカード１００には前述の図６に示すディスクカートリッジ１が挿入されている。このＰＣカード１００は、電子機器１０により撮像された画像データを記録するために使用される。スロット１６は、本体１２の上面１４から本体１２の下部に延在しているとともに、スロット１６の一端が隣接する、本体１２の側面２０から他端が隣接する側面２２間に延在している（図１）。
【００２４】
スロット１６は、一方の主面２４近傍に偏って形成されている。また、側面（側面部）２０および側面（側面部）２２の各々の上部に湾曲した切欠２８が、スロット１６と連通するように形成されている。この切欠２８は、主面２４にも及んでおり、全体として電子機器１０の上部隅部を切り欠いた形状になっている。
そしてこの切欠２８は上方に開放している。これにより、切欠２８に露出したＰＣカード１００の両肩（両端部）１１０、１１０に指をかけてＰＣカード１００を容易に引き抜くことができる。切欠２８のうち、主面２４に至る部分は、側面２０、２２の切欠が大きければ必ずしも必要ではないが、主面２４にも切欠２８が及んでいるほうが、指掛けおよびＰＣカード１００の引抜が容易である。
【００２５】
図１に示すように、主面２４と反対側の主面２６には矩形の平坦な凹所３４が形成されている。この凹所３４にディスプレイパネル３６が、ディスプレイ面（図示せず）を内側にして配置されている。このディスプレイパネル３６は、本体１２の支持部３８に連結されており、支持部３８の周りに回動させて本体１２から引き起こすことができるようになっている。この構造の詳細な説明は省略する。なお、４０で示すのは撮像レンズである。
【００２６】
次に、本発明の第２の実施形態について図３および図４を参照して説明する。
図３は、本発明の第２の実施形態の、前述のスロット１６の部分にカバーを有する電子機器の斜視図である。図４は、カバーを開いた状態の、図３に示す電子機器の斜視図である。なお、説明にあたり、第１の実施形態と同じ部分については、同じ参照番号を付して説明する。この第２の実施形態の電子機器６０は、本体６２の上部のスロット１６に防塵部材（カバー）６４を被せるよう構成されている。この防塵部材６４は、スロット１６の主面２４から離れた方の側縁６６に、１対のヒンジ６８により開閉可能に取り付けられている。また、防塵部材６４を常に閉鎖方向に付勢するようにトーションばね７６が本体６２と防塵部材６４との間に取り付けられている（図４）。
【００２７】
防塵部材６４は、スロット１６を覆う上壁７０と、この上壁７０に直角に形成され、閉鎖時に主面２４の外側に位置する前壁７２とを有する。そして、側壁２０、２２に対応する部分には、前壁７２から上壁７０にかけて、側壁２０、２２の部分の切欠２８と相補的な形状の閉鎖壁７４が、前壁７２および上壁７０と直角に一体成型されている。この閉鎖壁７４は、防塵部材６４が閉じたとき、側壁２０、２２部分の切欠２８に当接して、切欠２８を閉鎖するようになっている。
他方、切欠２８のうち主面２４に及ぶ部分は前壁７２により閉鎖される。従ってＰＣカード１００を挿入した後、防塵部材６４を閉じると、塵埃の進入が防止されるとともに、ＰＣカード１００の切欠２８から露出した部分即ち肩１１０が外力から保護される。
【００２８】
なお、防塵部材６４のヒンジ６８は種々の方式が考えられる。例えば、本体６２の上面１４が樹脂製の場合は、上面１４と一体に連結してもよい。また、防塵部材の両端に回動軸を設け、本体にこの回動軸を支持する受部を形成してもよい。防塵部材６４は、常に閉鎖方向に付勢されているので、防塵部材６４に設けた突起７８と主面２４に設けた穴８０とにより、ホックのように凹凸係合させて拡開しないように係止してもよい。この防塵部材６４の係止手段としては、他にも種々の方法が考えられる。例えば、防塵部材６４の前壁に摺動或いは回動するロック部材（図示せず）を設け、このロック部材と係合する、本体の主面２４に設けた係合部とをロック部材の操作により係合させ或いは解除するようにしてもよい。
【００２９】
次に、図５を参照して、第２の実施形態の変形例について説明する。図５は、第２の実施形態の変形例を示す部分斜視図である。なお、説明にあたり、第２の実施形態と同じ部分については、同じ参照番号を使用して説明する。この変形例と、図３および図４に示す第２の実施形態とが相違する点は、閉鎖壁９６が側面２０、２２の外側に位置する点である。即ち、上壁９８と前壁９９は、第２の実施形態の上壁７０および前壁７２よりも僅かに長い寸法を有しており、閉鎖壁９６はそれらの両端部に形成されている。
【００３０】
これらの閉鎖壁９６は、側面２０、２２の切欠２８の部分より大面積となっている。従って、防塵部材９４を閉じたとき、閉鎖壁９６は、両側面２０、２２の切欠２８の部分を外側から完全に覆うとともに、閉鎖壁９６の一部分が各側面２０、２２と重なって２重になるように構成されている。従って、防塵が確実になされるとともに、電子機器が落下したとき、或いは、他の部材に衝接したときにＰＣカード１００は、一層確実に保護される。
【図面の簡単な説明】
【図１】本発明による記録機器取出構造を有する携帯用の電子機器の斜視図
【図２】記録機器を取り除いた図１の電子機器の斜視図
【図３】本発明の第２の実施形態の、スロットの部分にカバーを有する電子機器の斜視図
【図４】カバーを開いた状態の、図３に示す電子機器の斜視図
【図５】第２の実施形態の変形例を示す部分斜視図
【図６】従来の磁気ディスクカートリッジの斜視図
【図７】図９の磁気ディスクカートリッジが挿入されるｃｌｉｋ！（登録商標）ドライブの斜視図
【符号の説明】
１　　ディスクカートリッジ（記録機器）
１０、６０　　電子機器
１２、６２　　本体
１６　　スロット
２０、２２　　側面
２８　　切欠
６４　　カバー
【図１】
2004145649.tif 000003
【図２】
2004145649.tif 000004
【図３】
2004145649.tif 000005
【図４】
2004145649.tif 000006
【図５】
2004145649.tif 000007
【図６】
2004145649.tif 000008
【図７】
2004145649.tif 000009